(57)【要約】【課題】部品点数の増加を抑制しつつ、新規の通信規格に対応した通信ユニットを提供する。【解決手段】通信ユニットは、第１入力信号から、第１信号又は第２信号を出力する第１送信回路と、第１信号を増幅して第１増幅信号を出力する第１増幅器と、第２信号と第１基準信号とに基づいて、第２信号の周波数より高い周波数の第３信号を生成する第１の信号生成回路と、第３信号が入力される第１フィルタ回路であって、第２信号の周波数と第１基準信号の周波数との和又は差の一方の周波数成分を通過させ、第２信号の周波数と第１基準信号の周波数との和又は差の他方の周波数成分を減衰させる第１フィルタ回路と、第１フィルタ回路から出力される第３信号を増幅して第２増幅信号を出力する第２増幅器と、を備える。【選択図】図１
2018033121.tif 000002
【特許請求の範囲】
【請求項１】
第１入力信号から、第１信号又は第２信号を出力する第１送信回路と、
前記第１信号を増幅して第１増幅信号を出力する第１増幅器と、
前記第２信号と第１基準信号とに基づいて、前記第２信号の周波数より高い周波数の第３信号を生成する第１の信号生成回路と、
前記第３信号が入力される第１フィルタ回路であって、前記第２信号の周波数と前記第１基準信号の周波数との和又は差の一方の周波数成分を通過させ、前記第２信号の周波数と前記第１基準信号の周波数との和又は差の他方の周波数成分を減衰させる第１フィルタ回路と、
前記第１フィルタ回路から出力される前記第３信号を増幅して第２増幅信号を出力する第２増幅器と、
を備える、通信ユニット。
【請求項２】
請求項１に記載の通信ユニットであって、
前記第１送信回路は、同一端子から前記第１又は第２信号を出力する、
通信ユニット。
【請求項３】
請求項１又は２に記載の通信ユニットであって、
前記通信ユニットは、前記第１送信回路と前記第１の信号生成回路の間に第１スイッチ回路をさらに備え、
前記第１スイッチ回路は、前記第２信号が出力される場合にオンとなり、前記第２信号が出力されない場合にオフとなる、
通信ユニット。
【請求項４】
請求項１〜３のいずれか一項に記載の通信ユニットであって、
前記第１信号の周波数はＣバンドの周波数以下であり、
前記第３信号の周波数はＸバンドの周波数以上である、
通信ユニット。
【請求項５】
請求項１〜４のいずれか一項に記載の通信ユニットであって、
前記第１の信号生成回路は、
前記第２信号と第２基準信号とに基づいて、前記第２信号の周波数より高い周波数の第４信号を生成し、
前記通信ユニットは、
前記第４信号が入力される第２フィルタ回路であって、前記第２信号の周波数と前記第２基準信号の周波数との和又は差の一方の周波数成分を通過させ、前記第２信号の周波数と前記第２基準信号の周波数との和又は差の他方の周波数成分を減衰させる第２フィルタ回路と、
前記第２フィルタ回路から出力される前記第４信号を増幅して第３増幅信号を出力する第３増幅器と、
をさらに備える、通信ユニット。
【請求項６】
請求項５に記載の通信ユニットであって、
前記通信ユニットは、
前記第３又は第４信号のいずれか一方を、前記第１又は第２フィルタ回路に供給する第２スイッチ回路をさらに備える、
通信ユニット。
【請求項７】
請求項５又は６に記載の通信ユニットであって、
前記第４信号の周波数はＸバンドの周波数以上である、
通信ユニット。
【請求項８】
請求項１〜７のいずれか一項に記載の通信ユニットであって、
前記通信ユニットは、
第２入力信号から、第５信号を出力する第２送信回路と、
前記第５信号を増幅して第４増幅信号を出力する第４増幅器と、
をさらに備え、
前記第５信号の周波数はＣバンドの周波数以下である、
通信ユニット。
【請求項９】
請求項１〜８のいずれか一項に記載の通信ユニットであって、
前記第１の信号生成回路は、前記第２信号の周波数と前記第１基準信号の周波数との和又は差の一方の周波数成分を生成し、前記第２信号の周波数と前記第１基準信号の周波数との和又は差の他方の周波数成分を除去するイメージ除去ミキサをさらに備える、
通信ユニット。
【請求項１０】
請求項１〜９のいずれか一項に記載の通信ユニットであって、
前記第１送信回路は、無線ＬＡＮに対応した送信回路である、
通信ユニット。
【請求項１１】
第６信号を増幅して第５増幅信号を出力する第１低雑音増幅器と、
第７信号を増幅して第６増幅信号を出力する第２低雑音増幅器と、
前記第６増幅信号と第３基準信号とに基づいて、前記第６増幅信号の周波数より低い周波数の第８信号を生成する第２の信号生成回路と、
前記第８信号が入力される第３フィルタ回路であって、前記第６増幅信号の周波数と前記第３基準信号の周波数との和又は差の一方の周波数成分を通過させ、前記第６増幅信号の周波数と前記第３基準信号の周波数との和又は差の他方の周波数成分を減衰させる第３フィルタ回路と、
前記第５増幅信号又は前記第３フィルタ回路から出力される前記第８信号から、第１出力信号を出力する第１受信回路と、
を備える、通信ユニット。
【請求項１２】
請求項１１に記載の通信ユニットであって、
前記第５増幅信号及び前記第８信号は、前記第１受信回路における同一端子に入力される、
通信ユニット。
【請求項１３】
請求項１１又は１２に記載の通信ユニットであって、
前記通信ユニットは、前記第１受信回路と前記第２の信号生成回路の間に第３スイッチ回路をさらに備え、
前記第３スイッチ回路は、前記第８信号が出力される場合にオンとなり、前記第８信号が出力されない場合にオフとなる、
通信ユニット。
【請求項１４】
請求項１１〜１３のいずれか一項に記載の通信ユニットであって、
前記第６信号の周波数はＣバンドの周波数以下であり、
前記第７信号の周波数はＸバンドの周波数以上である、
通信ユニット。
【請求項１５】
請求項１１〜１４のいずれか一項に記載の通信ユニットであって、
前記通信ユニットは、
第９信号を増幅して第７増幅信号を出力する第３低雑音増幅器をさらに備え、
前記第２の信号生成回路は、
前記第７増幅信号と第４基準信号とに基づいて、前記第７増幅信号の周波数より低い周波数の前記第８信号を生成し、
前記第３フィルタ回路は、
前記第８信号が入力され、前記第７増幅信号の周波数と前記第４基準信号の周波数との和又は差の一方の周波数成分を通過させ、前記第７増幅信号の周波数と前記第４基準信号の周波数との和又は差の他方の周波数成分を減衰させる、
通信ユニット。
【請求項１６】
請求項１５に記載の通信ユニットであって、
前記通信ユニットは、
前記第６又は第７増幅信号のいずれか一方を、前記第２の信号生成回路に供給する第４スイッチ回路をさらに備える、
通信ユニット。
【請求項１７】
請求項１５又は１６に記載の通信ユニットであって、
前記第９信号の周波数はＸバンドの周波数以上である、
通信ユニット。
【請求項１８】
請求項１１〜１７のいずれか一項に記載の通信ユニットであって、
前記通信ユニットは、
前記第８信号を増幅して第８増幅信号を出力する第４低雑音増幅器をさらに備え、
前記第１受信回路は、前記第８増幅信号から前記第１出力信号を出力する、
通信ユニット。
【請求項１９】
請求項１１〜１８のいずれか一項に記載の通信ユニットであって、
前記通信ユニットは、
第１０信号を増幅して第９増幅信号を出力する第５低雑音増幅器と、
前記第９増幅信号から、第２出力信号を出力する第２受信回路と、
をさらに備え、
前記第１０信号の周波数はＣバンドの周波数以下である、
通信ユニット。
【請求項２０】
請求項１〜１０のいずれか一項に記載の通信ユニットであって、
前記通信ユニットは、
前記第１及び第２増幅器が実装された通信装置基板と、
前記通信装置基板に実装され、前記第１増幅信号を送信する第１アンテナ及び前記第２増幅信号を送信する第２アンテナと、
をさらに備え、
前記通信装置基板において、前記第２増幅器の出力端子と前記第２アンテナの入力端子との間の伝送線路の距離は、前記第１増幅器の出力端子と前記第１アンテナの入力端子との間の伝送線路の距離より短い、
通信ユニット。
【請求項２１】
請求項１１〜１９のいずれか一項に記載の通信ユニットであって、
前記通信ユニットは、
前記第１及び第２低雑音増幅器が実装された通信装置基板と、
前記通信装置基板に実装され、前記第６信号を受信する第１アンテナ及び前記第７信号を受信する第２アンテナと、
をさらに備え、
前記通信装置基板において、前記第２低雑音増幅器の入力端子と前記第２アンテナの出力端子との間の伝送線路の距離は、前記第１低雑音増幅器の入力端子と前記第１アンテナの出力端子との間の伝送線路の距離より短い、
通信ユニット。
【発明の詳細な説明】
【技術分野】
【０００１】
本発明は、通信ユニットに関する。
【背景技術】
【０００２】
携帯電話の通信網を用いる携帯端末においては、基地局と携帯端末との間で無線周波数（ＲＦ：Ｒａｄｉｏ  Ｆｒｅｑｕｅｎｃｙ）信号を送受信する通信ユニットが用いられる。携帯端末においては、複数の通信規格（マルチモード）、及び複数の周波数帯域（マルチバンド）に対応可能な通信ユニットが主流となっている。
【０００３】
例えば、非特許文献１に開示された通信ユニットは、２Ｇ（第２世代移動通信システム）に対応した回路と、３Ｇ及び４Ｇ（第３及び第４世代移動通信システム）に対応した回路を備える。
【先行技術文献】
【非特許文献】
【０００４】
【非特許文献１】“Ａｐｐｌｉｃａｔｉｏｎ  Ｇｕｉｄｅ  ｆｏｒ  Ｍｏｂｉｌｅ  Ｃｏｍｍｕｎｉｃａｔｉｏｎ”Ｉｎｆｉｎｅｏｎ  Ｔｅｃｈｎｏｌｏｇｉｅｓ、ｐｐ１１［平成２８年３月２９日検索］、インターネット＜ＵＲＬ：http://www.infineon.com/dgdl/Infineon-App_Guide_Mobile_CommunicatioC-BC-v01_01-EN.pdf?fileId=db3a304334c41e910134f6522b346704＞
【発明の概要】
【発明が解決しようとする課題】
【０００５】
近年、携帯端末の新たな通信規格として、５Ｇ（第５世代移動通信システム）の導入が注目されており、３Ｇ及び４Ｇのみならず、５Ｇに対応した通信ユニットが求められている。５Ｇにおいては、３Ｇ及び４Ｇにおける周波数帯域よりさらに高い周波数帯域（例えば、１５ＧＨｚ〜９０ＧＨｚ程度）の使用が想定されている。そのため、３Ｇ及び４Ｇに対応した回路と同様の構成により５Ｇに対応した回路を設計しようとすると、回路構成が３Ｇ及び４Ｇに対応した回路構成に比べてより複雑になり、必要な部品点数が増加する。
【０００６】
本発明はこのような事情に鑑みてなされたものであり、部品点数の増加を抑制しつつ、新規の通信規格に対応した通信ユニットを提供することを目的とする。
【課題を解決するための手段】
【０００７】
本発明の一側面に係る通信ユニットは、第１入力信号から、第１信号又は第２信号を出力する第１送信回路と、第１信号を増幅して第１増幅信号を出力する第１増幅器と、第２信号と第１基準信号とに基づいて、第２信号の周波数より高い周波数の第３信号を生成する第１の信号生成回路と、第３信号が入力される第１フィルタ回路であって、第２信号の周波数と第１基準信号の周波数との和又は差の一方の周波数成分を通過させ、第２信号の周波数と第１基準信号の周波数との和又は差の他方の周波数成分を減衰させる第１フィルタ回路と、第１フィルタ回路から出力される第３信号を増幅して第２増幅信号を出力する第２増幅器と、を備える。
【発明の効果】
【０００８】
本発明によれば、部品点数の増加を抑制しつつ、新規の通信規格に対応した通信ユニットを提供することが可能となる。
【図面の簡単な説明】
【０００９】
【図１】本発明の一実施形態である通信ユニット１００の構成例を示す図である。
【図２】信号生成回路１２０、及び電力増幅モジュール１３１の構成例を示す図である。
【図３】ＩＦ信号ＩＦ１及びローカル信号Ｌａ，Ｌｂから送信信号ＴＸ２ａ，ＴＸ２ｂが生成される状況の一例を示す図である。
【図４】ＩＦ信号ＩＦ１及びローカル信号Ｌｃ，Ｌｄから送信信号ＴＸ２ｃ，ＴＸ２ｄが生成される状況の一例を示す図である。
【図５】本発明の一実施形態である通信ユニット１００の他の構成例を示す図である。
【図６】本発明の一実施形態である通信ユニット１００の他の構成例を示す図である。
【図７】本発明の一実施形態である通信ユニット１００の他の構成例を示す図である。
【図８】本発明の一実施形態である通信ユニット１００の他の構成例を示す図である。
【図９】信号生成回路１２０の他の構成例を示す図である。
【図１０】本発明の一実施形態である通信ユニット１００の他の構成例を示す図である。
【図１１】本発明の一実施形態である通信ユニット５００の構成例を示す図である。
【図１２】信号生成回路５２０、及び低雑音増幅モジュール５３１の構成例を示す図である。
【図１３】受信信号ＲＸ２ａ，ＲＸ２ｂ及びローカル信号Ｌａ，ＬｂからＩＦ信号ＩＦ２が生成される状況の一例を示す図である。
【図１４】本発明の一実施形態である通信ユニット５００の他の構成例を示す図である。
【図１５】本発明の一実施形態である通信ユニット５００の他の構成例を示す図である。
【図１６】本発明の一実施形態である通信ユニット８００の構成例を示す図である。
【図１７】本発明の一実施形態である通信ユニットが実装された通信装置基板における回路配置の一例の概略を示す図である。
【発明を実施するための形態】
【００１０】
以下、図面を参照して本発明の一実施形態について説明する。図１は、本発明の一実施形態である通信ユニットの構成例（通信ユニット１００）を示す図である。通信ユニット１００は、例えば、携帯電話等の移動体通信機において、音声やデータなどの各種信号を基地局との間で送受信するために用いられる。通信ユニット１００は、複数の通信規格（マルチモード）に対応している。本実施形態においては、通信ユニット１００は、既存の通信規格及び新規の通信規格に対応している。なお、本明細書において、既存の通信規格（以下、既存モードと呼ぶ。）とは、ＩＥＥＥにおけるマイクロ波の周波数による分類（以下、「ＩＥＥＥ周波数分類」と呼ぶ。）におけるＣバンド（４〜８ＧＨｚ帯）以下の周波数の周波数帯域を使用する通信規格のことである。既存モードには、例えば、２Ｇ又は３Ｇ及び４Ｇ等がある。また、新規の通信規格（以下、新規モードと呼ぶ。）とは、ＩＥＥＥ周波数分類におけるＸバンド（８〜１２ＧＨｚ帯）以上の周波数の周波数帯域を使用する通信規格のことである。新規モードには、例えば、５Ｇがある。また、通信ユニット１００は、各々の通信規格において、複数の周波数帯域（マルチバンド）に対応していてもよい。例えば、本実施形態においては、新規モードは、ローバンド（例えば、ＩＥＥＥ周波数分類におけるＫｕバンド（１２〜１８ＧＨｚ帯））、ミドルバンド（例えば、ＩＥＥＥ周波数分類におけるＫａバンド（２６〜４０ＧＨｚ帯））、及びハイバンド（例えば、ＩＥＥＥ周波数分類におけるＶバンド（４０〜７５ＧＨｚ帯））に対応している。
【００１１】
なお、通信ユニット１００は、携帯端末から基地局への上り回線（アップリンク）及び基地局から携帯端末への下り回線（ダウンリンク）のいずれにも対応している。説明のため、通信ユニット１００は、通信ユニットのうちダウンリンクに関わる構成を省略し、アップリンクに関わる構成を示している。
【００１２】
図１に示されるように、通信ユニット１００は、ＲＦＩＣ１０５、信号生成回路１２０、電力増幅モジュール１３０，１３１、フロントエンド回路１４０，１４１、及びアンテナ１５０，１５１を備える。
【００１３】
ＲＦＩＣ１０５は送信回路１１０を備える。送信回路１１０（第１送信回路）は、ベースバンド回路１６０、及びＲＦ回路１７０を備える。なお、送信回路１１０は、変調方式や周波数帯域に応じて複数の送信回路を含むことができる。
【００１４】
ベースバンド回路１６０は、直交振幅変調（ＱＡＭ：Ｑｕａｄｒａｔｕｒｅ  Ａｍｐｌｉｔｕｄｅ  Ｍｏｄｕｌａｔｉｏｎ）等の変調方式に基づいて、音声やデータなどの入力信号（第１入力信号）に応じた変調信号を出力する。本実施形態においては、ベースバンド回路１６０から出力される変調信号は、振幅及び位相をＩＱ平面上で表したＩＱ信号として出力される。ＩＱ信号の周波数は、例えば、数ＭＨｚから数１００ＭＨｚ程度である。
【００１５】
ＲＦ回路１７０は、ベースバンド回路１６０から出力されるＩＱ信号に基づいて、無線送信を行うための送信信号、又は送信信号を生成するための中間周波数（ＩＦ：Ｉｎｔｅｒｍｅｄｉａｔｅ  Ｆｒｅｑｕｅｎｃｙ）信号を生成して出力する。具体的には、ＲＦ回路１７０は、入力信号が既存モードの場合は送信信号ＴＸ１（第１信号）を出力し、入力信号が新規モードの場合はＩＦ信号ＩＦ１（第２信号）を出力する。ＲＦ回路１７０は、例えば、Ｉ信号と搬送波信号とを乗算器で合成するとともに、Ｑ信号と、９０度位相をずらした搬送波信号とを乗算器で合成し、これらの合成信号を減算器で合成することにより送信信号を得る。なお、送信回路１１０は、同一端子から送信信号ＴＸ１又はＩＦ信号ＩＦ１を出力する構成とすることができる。
【００１６】
ＩＦ信号ＩＦ１は、例えば、送信信号ＴＸ２（第３信号）の周波数（例えば、１５ＧＨｚ、２８ＧＨｚ等）より低く、既存モードに対応した送信回路１１０において生成可能な周波数（例えば、５〜１０ＧＨｚ）の信号とすることができる。これにより、通信ユニット１００は、新規モードに対応した送信回路を別途設けることなく、既存モードに対応した送信回路１１０に基づいて新規モードの送信信号ＴＸ２を生成することができる。
【００１７】
信号生成回路１２０（第１の信号生成回路）は、ＲＦ回路１７０から出力されるＩＦ信号ＩＦ１が入力され、当該ＩＦ信号ＩＦ１とローカル信号とに基づいて、送信信号ＴＸ２を生成する。信号生成回路１２０の構成の詳細については後述する。
【００１８】
電力増幅モジュール１３０，１３１は、各々、入力される送信信号の電力を基地局に送信するために必要なレベルまで増幅する。電力増幅モジュール１３０は、増幅器（第１増幅器）を備え、既存モードの周波数帯域の送信信号ＴＸ１を増幅し、増幅信号ＴＸ１＿ａｍｐ（第１増幅信号）を出力する。また、電力増幅モジュール１３１は、増幅器（第２増幅器）を備え、新規モードの複数の周波数帯域の送信信号ＴＸ２を増幅し、増幅信号ＴＸ２＿ａｍｐを出力する。なお、電力増幅モジュール１３０，１３１は、複数の周波数帯域の送信信号を増幅する複数の増幅経路を備えていてもよい。電力増幅モジュール１３１の構成の詳細については後述する。
【００１９】
フロントエンド回路１４０，１４１は、基地局に送信する送信信号と基地局から受信する受信信号の経路切り替えや、フィルタリング処理等を行う。具体的には、フロントエンド回路１４０，１４１は、各々、電力増幅モジュール１３０，１３１から供給される増幅信号ＴＸ１＿ａｍｐ，ＴＸ２＿ａｍｐ、及びアンテナ１５０，１５１から供給される受信信号ＲＸ１，ＲＸ２にフィルタリング処理を施す。フロントエンド回路１４０，１４１は、例えば、デュプレクサ、スイッチ回路、及びダイプレクサ等を備えていてもよい。
【００２０】
アンテナ１５０，１５１は、各々、フロントエンド回路１４０，１４１から出力される増幅信号ＴＸ１＿ａｍｐ，ＴＸ２＿ａｍｐの送信、及び、基地局から送信される受信信号ＲＸ１，ＲＸ２の受信を行う。
【００２１】
次に、図２を参照しつつ、通信ユニット１００における新規モードの送信信号ＴＸ２の生成及び増幅の構成について説明する。なお、以下の説明においては、説明を簡単にするために新規モードの２つの周波数帯域に対応した回路を示すが、通信ユニット１００における構成はこれに限られない。通信ユニット１００が対応可能な新規モードの周波数帯域は２つに限られず、１つであってもよく、また３つ以上であってもよい。
【００２２】
まず、２つの周波数帯域の例として、ＩＥＥＥ周波数分類におけるＫｕバンド（１２〜１８ＧＨｚ帯）に含まれる送信周波数１５ＧＨｚの送信信号と、ＩＥＥＥ周波数分類におけるＫａバンド（２６〜４０ＧＨｚ帯）に含まれる送信周波数２８ＧＨｚの送信信号とが生成される場合について説明する。ここで、一方の周波数帯域ＢＡＮＤ＿Ａの送信信号をＴＸ２ａ、送信周波数をｆＴＸ２ａ＝１５ＧＨｚとし、他方の周波数帯域ＢＡＮＤ＿Ｂの送信信号をＴＸ２ｂ、送信周波数をｆＴＸ２ｂ＝２８ＧＨｚとする。なお、既存モードの送信信号ＴＸ１の生成及び増幅については詳細な説明を省略する。
【００２３】
図２は、信号生成回路１２０、及び電力増幅モジュール１３１の構成例を示す図である。
【００２４】
信号生成回路１２０は、シンセサイザ２００及び乗算器２１０を備える。
【００２５】
シンセサイザ２００は、所定の周波数のローカル信号を生成する。シンセサイザ２００は、例えば、ＰＬＬ（Ｐｈａｓｅ  Ｌｏｃｋｅｄ  Ｌｏｏｐ）回路により構成することができる。本実施形態においては、シンセサイザ２００は、周波数帯域ＢＡＮＤ＿Ａの送信信号を生成するためのローカル信号Ｌａ（第１基準信号）（周波数ｆＬａ＝１０ＧＨｚ）、又は周波数帯域ＢＡＮＤ＿Ｂの送信信号を生成するためのローカル信号Ｌｂ（第２基準信号）（周波数ｆＬｂ＝２３ＧＨｚ）を生成して出力する。
【００２６】
乗算器２１０は、シンセサイザ２００から供給されるローカル信号Ｌａと、ＲＦ回路１７０から供給されるＩＦ信号ＩＦ１とを合成して、送信信号ＴＸ２ａ（第３信号）を生成して出力する。また、同様に、乗算器２１０は、シンセサイザ２００から供給されるローカル信号Ｌｂと、ＲＦ回路１７０から供給されるＩＦ信号ＩＦ１とを合成して、送信信号ＴＸ２ｂ（第４信号）を生成して出力する。なお、乗算器２１０にＩＦ信号ＩＦ１が供給されない場合には、シンセサイザ２００及び乗算器２１０がオフとなり、ローカル信号及び送信信号が生成されない構成であってもよい。次に、乗算器２１０が生成する信号の周波数について、図３を参照しつつ説明する。
【００２７】
図３は、ＩＦ信号ＩＦ１及びローカル信号Ｌａ，Ｌｂから送信信号ＴＸ２ａ，ＴＸ２ｂが生成される状況の一例を示す図である。乗算器２１０は、入力される２つの信号の各々の周波数の和及び差の周波数の信号を出力する。従って、乗算器２１０にローカル信号Ｌａ（周波数ｆＬａ＝１０ＧＨｚ）と、ＩＦ信号ＩＦ１（周波数ｆＩＦ＝５ＧＨｚ）が入力されると、周波数がｆＬａ＋ｆＩＦ＝１０＋５＝１５ＧＨｚである信号ＭＩＸ１ａUPと、周波数がｆＬａ−ｆＩＦ＝１０−５＝５ＧＨｚである信号ＭＩＸ１ａDOWNを含んだ信号が出力される。本実施形態においては、送信信号ＴＸ２ａとして１５ＧＨｚの信号ＭＩＸ１ａUPを使用するため、５ＧＨｚの信号ＭＩＸ１ａDOWNは不要な信号（以下、イメージ信号とも呼ぶ。）である。
【００２８】
同様に、乗算器２１０にローカル信号Ｌｂ（周波数ｆＬｂ＝２３ＧＨｚ）と、ＩＦ信号ＩＦ１（周波数ｆＩＦ＝５ＧＨｚ）が入力されると、周波数がｆＬｂ＋ｆＩＦ＝２３＋５＝２８ＧＨｚである信号ＭＩＸ１ｂUPと、周波数がｆＬｂ−ｆＩＦ＝２３−５＝１８ＧＨｚである信号ＭＩＸ１ｂDOWNを含んだ信号が出力される。本実施形態においては、送信信号ＴＸ２ｂとして２８ＧＨｚの信号ＭＩＸ１ｂUPを使用するため、１８ＧＨｚの信号ＭＩＸ１ｂDOWNはイメージ信号である。当該イメージ信号ＭＩＸ１ａDOWN，ＭＩＸ１ｂDOWNの減衰については、電力増幅モジュール１３１の構成とともに説明する。
【００２９】
図２に戻り、電力増幅モジュール１３１は、信号生成回路１２０から出力される送信信号ＴＸ２ａ，ＴＸ２ｂを増幅して、増幅信号ＴＸ２ａ＿ａｍｐ，ＴＸ２ｂ＿ａｍｐを出力する。電力増幅モジュール１３１は、スイッチ回路２２０、フィルタ回路２３０ａ，２３０ｂ，２３１ａ，２３１ｂ、及び増幅器２４０ａ，２４０ｂを備える。本実施形態においては、スイッチ素子２２０ａ、フィルタ回路２３０ａ，２３１ａ、及び増幅器２４０ａが、周波数帯域ＢＡＮＤ＿Ａの送信信号ＴＸ２ａに対応した増幅経路を構成し、スイッチ素子２２０ｂ、フィルタ回路２３０ｂ，２３１ｂ、及び増幅器２４０ｂが、周波数帯域ＢＡＮＤ＿Ｂの送信信号ＴＸ２ｂに対応した増幅経路を構成する。なお、図２では、説明を簡単にするために、電力増幅モジュール１３１が備える他の構成要素（例えば、バイアス回路、及び整合回路等）は示されていない。
【００３０】
スイッチ回路２２０（第２スイッチ回路）は、２つの周波数帯域における送信信号ＴＸ２ａ，ＴＸ２ｂについて、一方の送信信号のみを一方の増幅経路に供給し、同時に２つの増幅器が動作しないように制御する。スイッチ回路２２０は、例えば、スイッチ素子２２０ａ，２２０ｂを備える。スイッチ素子２２０ａ，２２０ｂは、各々の増幅経路において、信号生成回路１２０と電力増幅モジュール１３１との間の接続又は開放を切り替える。また、一方のスイッチ素子がオンであるときは、他方のスイッチ素子がオフとなるように動作する。これにより、送信信号ＴＸ２ａ，ＴＸ２ｂについて、一方の送信信号が一方の増幅経路に供給されるときは、他方の送信信号が他方の増幅経路に供給されないようにすることができる。従って、一方の増幅経路から漏出した送信信号が他方の増幅経路へ回り込むことが抑制される。すなわち、送信信号ＴＸ２ａ，ＴＸ２ｂの各々の増幅経路間のアイソレーションを確保することができる。
【００３１】
これにより、例えば、信号生成回路１２０において比較的近い周波数帯域の信号が生成される場合に、所定の信号が他の信号のノイズとなることを抑制する。具体的には、例えば、周波数帯域ＢＡＮＤ＿Ａの送信信号の生成時に生成される信号ＭＩＸ１ａUP（１５ＧＨｚ）と、周波数帯域ＢＡＮＤ＿Ｂの送信信号の生成時に生成される信号ＭＩＸ１ｂDOWN（１８ＧＨｚ）は、周波数の比較的近い信号である（図３参照）。
【００３２】
なお、スイッチ素子２２０ａ，２２０ｂは、例えば、電界効果トランジスタ（ＭＯＳＦＥＴ：Ｍｅｔａｌ−ｏｘｉｄｅ−ｓｅｍｉｃｏｎｄｕｃｔｏｒ  Ｆｉｅｌｄ  Ｅｆｆｅｃｔ  Ｔｒａｎｓｉｓｔｏｒ）やヘテロ接合バイポーラトランジスタ（ＨＢＴ：Ｈｅｔｅｒｏｊｕｎｃｔｉｏｎ  Ｂｉｐｏｌａｒ  Ｔｒａｎｓｉｓｔｏｒ）等のバイポーラトランジスタにより構成することができる。後述するスイッチ素子３００，６２０ａ，６２０ｂ，７００においても同様である。
【００３３】
フィルタ回路２３０ａ（第１フィルタ回路），２３０ｂ（第２フィルタ回路）は、各々、上述のイメージ信号ＭＩＸ１ａDOWN，ＭＩＸ１ｂDOWNを減衰させるためのフィルタである。具体的には、フィルタ回路２３０ａは、信号生成回路１２０が生成する信号のうち、信号ＭＩＸ１ａUPの周波数成分を通過させ、ＭＩＸ１ａDOWNの周波数成分を減衰させる。また、フィルタ回路２３０ｂは、信号生成回路１２０が生成する信号のうち、信号ＭＩＸ１ｂUPの周波数成分を通過させ、ＭＩＸ１ｂDOWNの周波数成分を減衰させる。
【００３４】
フィルタ回路２３０ａは、例えば、信号ＭＩＸ１ａUP（１５ＧＨｚ）の周波数成分を通過させ、当該周波数より低い周波数である信号ＭＩＸ１ａDOWN（５ＧＨｚ）の周波数成分を減衰させるバンドパスフィルタ回路又はハイパスフィルタ回路とすることができる（図３参照）。同様に、フィルタ回路２３０ｂは、例えば、信号ＭＩＸ１ｂUPの周波数成分（２８ＧＨｚ）を通過させ、当該周波数より低い周波数である信号ＭＩＸ１ｂDOWN（１８ＧＨｚ）の周波数成分を減衰させるバンドパスフィルタ回路又はハイパスフィルタ回路とすることができる（図３参照）。
【００３５】
なお、フィルタ回路２３０ａ，２３０ｂをバンドパスフィルタ回路とすることにより、信号ＭＩＸ１ａDOWN，ＭＩＸ１ｂDOWNの成分のみならず、他の周波数帯域の増幅経路から漏出する信号も減衰させることができる。また、送信信号の高調波を減衰させることができる。
【００３６】
増幅器２４０ａ（第２増幅器），２４０ｂ（第３増幅器）は、各々、フィルタ回路２３０ａ，２３０ｂから出力される送信信号ＴＸ２ａ，ＴＸ２ｂを増幅して、増幅信号ＴＸ２ａ＿ａｍｐ（第２増幅信号），ＴＸ２ｂ＿ａｍｐ（第３増幅信号）を出力する。増幅器２４０ａ，２４０ｂは、例えば、ＭＯＳＦＥＴやＨＢＴ等のバイポーラトランジスタにより構成することができる。なお、増幅器２４０ａ，２４０ｂは、各々、複数段で構成されてもよい。
【００３７】
フィルタ回路２３１ａ，２３１ｂは、各々、増幅信号ＴＸ２ａ＿ａｍｐ，ＴＸ２ｂ＿ａｍｐの高調波や、増幅器２４０ａ，２４０ｂによって生じるノイズを減衰させる。フィルタ回路２３１ａ，２３１ｂは、例えば、バンドパスフィルタ回路又はローパスフィルタ回路とすることができる。
【００３８】
電力増幅モジュール１３１から出力される増幅信号ＴＸ２ａ＿ａｍｐ，ＴＸ２ｂ＿ａｍｐは、各々、フロントエンド回路１４１ａ，１４１ｂを通じて、アンテナ１５１ａ，１５１ｂから送信される。
【００３９】
上述の構成により、通信ユニット１００は、図１に示される送信回路１１０において直接新規モードの周波数帯域の送信信号を生成せず、送信回路１１０においてＩＦ信号を生成し、信号生成回路１２０において、新規モードの周波数帯域の送信信号を生成する。従って、通信ユニット１００は、既存モードに対応した送信回路に基づいて、部品点数の増加を抑制しつつ新たな通信規格に対応することができる。
【００４０】
なお、本実施形態においては、各周波数帯域ＢＡＮＤ＿Ａ，ＢＡＮＤ＿Ｂについて、各々、アンテナ１５１ａ，１５１ｂを備える構成を示しているが、アンテナの個数はこれに限られない。例えば、複数の周波数帯域が１つのアンテナを共有し、フロントエンド回路に備えられたスイッチ回路により、アンテナに供給する送信信号及びアンテナから供給される受信信号を切り替える構成としてもよい。複数の周波数帯域がアンテナを共有することにより、通信ユニットを小型化することができる。
【００４１】
また、通信ユニット１００が出力する送信信号の周波数の組み合わせは、上述の組み合わせ（１５ＧＨｚ及び２８ＧＨｚ）に限られない。次に、図４を参照しつつ、送信信号の周波数の組み合わせが、いずれもＩＥＥＥ周波数分類におけるＫａバンド（２６〜４０ＧＨｚ帯）に含まれる２８ＧＨｚ及び３９ＧＨｚである場合について説明する。ここで、一方の周波数帯域ＢＡＮＤ＿Ｃの送信信号をＴＸ２ｃ、送信周波数をｆＴＸ２ｃ＝２８ＧＨｚとし、他方の周波数帯域ＢＡＮＤ＿Ｄの送信信号をＴＸ２ｄ、送信周波数をｆＴＸ２ｄ＝３９ＧＨｚとする。
【００４２】
図４は、ＩＦ信号ＩＦ１及びローカル信号Ｌｃ，Ｌｄから送信信号ＴＸ２ｃ，ＴＸ２ｄが生成される状況の一例を示す図である。本実施形態において、シンセサイザ２００は、周波数帯域ＢＡＮＤ＿Ｃの送信信号を生成するためのローカル信号Ｌｃ（第１基準信号）（周波数ｆＬｃ＝３３ＧＨｚ）、又は周波数帯域ＢＡＮＤ＿Ｄの送信信号を生成するためのローカル信号Ｌｄ（第２基準信号）（周波数ｆＬｄ＝３４ＧＨｚ）を生成して出力する。ローカル信号Ｌｃ，Ｌｄは周波数の比較的近い信号であり、例えばシンセサイザ２００における調整により双方の信号が生成される。
【００４３】
乗算器２１０は、ローカル信号Ｌｃ（周波数ｆＬｃ＝３３ＧＨｚ）と、ＩＦ信号ＩＦ１（周波数ｆＩＦ＝５ＧＨｚ）とから、周波数がｆＬｃ＋ｆＩＦ＝３３＋５＝３８ＧＨｚである信号ＭＩＸ１ｃUPと、周波数がｆＬｃ−ｆＩＦ＝３３−５＝２８ＧＨｚである信号ＭＩＸ１ｃDOWNを含んだ信号を出力する。同様に、乗算器２１０は、ローカル信号Ｌｄ（周波数ｆＬｄ＝３４ＧＨｚ）と、ＩＦ信号ＩＦ１（周波数ｆＩＦ＝５ＧＨｚ）とから、周波数がｆＬｄ＋ｆＩＦ＝３４＋５＝３９ＧＨｚである信号ＭＩＸ１ｄUPと、周波数がｆＬｄ−ｆＩＦ＝３４−５＝２９ＧＨｚである信号ＭＩＸ１ｄDOWNを含んだ信号を出力する。
【００４４】
フィルタ回路２３０ａ，２３０ｂは、各々、信号生成回路１２０から出力されるイメージ信号ＭＩＸ１ｃUP，ＭＩＸ１ｄDOWNを減衰させる。具体的には、フィルタ回路２３０ａは、例えば、信号ＭＩＸ１ｃDOWN（２８ＧＨｚ）の周波数成分を通過させ、当該周波数より高い周波数である信号ＭＩＸ１ｃUP（３８ＧＨｚ）の周波数成分を減衰させるバンドパスフィルタ回路又はローパスフィルタ回路とする。なお、フィルタ回路２３０ａは、他方の周波数帯域ＢＡＮＤ＿Ｄの経路において生成される信号ＭＩＸ１ｄDOWN（２９ＧＨｚ）の周波数成分も減衰させることが好ましい。
【００４５】
一方、フィルタ回路２３０ｂは、例えば、信号ＭＩＸ１ｄUPの周波数成分（３９ＧＨｚ）を通過させ、当該周波数より低い周波数である信号ＭＩＸ１ｄDOWN（２９ＧＨｚ）の周波数成分を減衰させるバンドパスフィルタ回路又はハイパスフィルタ回路とすることができる。なお、フィルタ回路２３０ｂは、他方の周波数帯域ＢＡＮＤ＿Ｃの経路において生成される信号ＭＩＸ１ｃUP（３８ＧＨｚ）の周波数成分も減衰させることが好ましい。
【００４６】
上述のように、通信ユニット１００は、電力増幅モジュール１３１がフィルタ回路２３０ａ，２３０ｂを備えることにより、ＩＦ信号とローカル信号の周波数の和及び差のいずれの周波数成分も送信信号として用いることができる。
【００４７】
なお、通信ユニット１００は、さらに高い周波数の送信信号を生成する構成であってもよい。例えば、送信信号の周波数がＩＥＥＥ周波数分類におけるＶバンド（４０〜７５ＧＨｚ帯）に含まれる４５ＧＨｚである場合、シンセサイザ２００が３５ＧＨｚのローカル信号を生成し、ＲＦ回路１７０が１０ＧＨｚのＩＦ信号（すなわち、ＩＦ信号ＩＦ１の周波数５ＧＨｚの整数倍である。）を生成してもよい。これにより、乗算器２１０において、ローカル信号とＩＦ信号との和の周波数成分（３５＋１０＝４５ＧＨｚ）と、差の周波数成分（３５−１０＝２５ＧＨｚ）を含んだ信号が出力される。また、フィルタ回路２３０ｂは、和の周波数成分（４５ＧＨｚ）を通過させ、差の周波数成分（２５ＧＨｚ）を減衰させるハイパスフィルタ回路又はバンドパスフィルタ回路としてもよい。これにより、４５ＧＨｚの送信信号が生成される。なお、ローカル信号が高周波となると、ローカル信号が信号生成回路１２０から漏出して電力増幅モジュール１３１に回り込み、ノイズの原因となることがある。従って、フィルタ回路２３０ｂは、差の周波数成分（２５ＧＨｚ）に加えて、ローカル信号の周波数成分（３５ＧＨｚ）も減衰させるフィルタ回路とすることが好ましい。
【００４８】
図５は、本発明の一実施形態である通信ユニット１００の他の構成例（通信ユニット１００Ａ）を示す図である。通信ユニット１００Ａは、図１に示される通信ユニット１００に比べて、スイッチ素子３００をさらに備える。
【００４９】
スイッチ素子３００（第１スイッチ回路）は、送信回路１１０と信号生成回路１２０の間に設けられ、送信回路１１０と信号生成回路１２０との間を接続又は開放する。具体的には、スイッチ素子３００は、通信ユニット１００Ａが新規モードの周波数帯域の送信信号を生成する場合にオンとなり、当該送信信号を生成しない場合にオフとなる。これにより、既存モード及び新規モードの送信信号の処理において、一方のモードの送信信号が他方のモードの送信信号の経路へ回り込むことが抑制される。なお、スイッチ素子３００は、図５に示されるようにＲＦＩＣ１０５Ａの内部に構成されていてもよく、またＲＦＩＣ１０５Ａの外部に構成されていてもよい。
【００５０】
図６は、本発明の一実施形態である通信ユニット１００の他の構成例（通信ユニット１００Ｂ）を示す図である。通信ユニット１００Ｂは、図１に示される通信ユニット１００に比べて、既存モードの周波数帯域の送信信号ＴＸ３に対応した送信回路３１０、電力増幅モジュール３３０、フロントエンド回路３４０、及びアンテナ３５０をさらに備える。
【００５１】
送信回路３１０（第２送信回路）は、音声やデータなどの入力信号（第２入力信号）を変調し、送信信号ＴＸ３（第５信号）を出力する。
【００５２】
電力増幅モジュール３３０は、増幅器（第４増幅器）を備え、既存モードの周波数帯域の送信信号ＴＸ３を増幅し、増幅信号ＴＸ３＿ａｍｐ（第４増幅信号）を出力する。そして、電力増幅モジュール３３０から出力される増幅信号ＴＸ３＿ａｍｐは、フロントエンド回路３４０を通じて、アンテナ３５０から送信される。
【００５３】
なお、送信回路３１０、電力増幅モジュール３３０、フロントエンド回路３４０、及びアンテナ３５０の詳細な構成については、図１に示される送信回路１１０、電力増幅モジュール１３０、フロントエンド回路１４０、及びアンテナ１５０と同様であるため、詳細な説明は省略する。
【００５４】
このような構成においても、通信ユニット１００Ｂは、既存モードに対応した送信回路に基づいて、部品点数の増加を抑制しつつ、新たな通信規格に対応することができる。通信ユニット１００Ｂは、複数の周波数帯域の送信信号を同時に送信することができるため、例えば、キャリアアグリゲーションに対応した携帯端末に適用することができる。なお、通信ユニット１００Ｂにおいても、図５に示されるスイッチ素子３００を適用することができる。また、図６に示されるように１つのＲＦＩＣ１０５Ｂが送信回路１１０，３１０を備えていてもよく、又は通信ユニット１００Ｂが複数のＲＦＩＣを備え、各ＲＦＩＣが送信回路１１０，３１０をそれぞれ備えていてもよい。
【００５５】
図７は、本発明の一実施形態である通信ユニット１００の他の構成例（通信ユニット１００Ｃ）を示す図である。通信ユニット１００Ｃは、図１に示される通信ユニット１００に比べて、ＲＦＩＣ１０５、送信回路１１０、ＲＦ回路１７０、及び信号生成回路１２０の代わりに、ＲＦＩＣ１０５Ｃ、送信回路１１０Ａ、ＲＦ回路１７０Ａ、及び信号生成回路１２０Ａを備える。具体的には、通信ユニット１００Ｃにおいては、シンセサイザ２００がＲＦＩＣ１０５Ｃに形成される。
【００５６】
シンセサイザ２００は、所定の周波数のローカル信号Ｌｅを生成して信号生成回路１２０Ａに出力する。具体的には、例えばローカル信号Ｌｅの周波数を２３ＧＨｚとし、ＩＦ信号ＩＦ１の周波数を５ＧＨｚとすると、送信周波数２８ＧＨｚ（２３ＧＨｚ＋５ＧＨｚ）の送信信号を生成することができる。なお、シンセサイザ２００が生成するローカル信号Ｌｅの周波数はこれに限られない。シンセサイザ２００が生成するローカル信号Ｌｅの周波数を調整することにより、様々な送信周波数の送信信号を生成することができる。なお、乗算器２１０における信号生成の詳細については、通信ユニット１００の場合と同様であるため、詳細な説明は省略する。
【００５７】
このような構成においても、通信ユニット１００Ｃは、既存モードに対応した送信回路に基づいて、部品点数の増加を抑制しつつ、新たな通信規格に対応することができる。なお、通信ユニット１００Ｃにおいても、図５に示されるスイッチ素子３００を適用することができる。
【００５８】
図８は、本発明の一実施形態である通信ユニット１００の他の構成例（通信ユニット１００Ｄ）を示す図である。通信ユニット１００Ｄは、図７に示される通信ユニット１００Ｃに比べて、信号生成回路１２０Ａの代わりに信号生成回路１２０Ｂを備える。信号生成回路１２０Ｂは、信号生成回路１２０Ａの構成に加えて、周波数逓倍器２０１，２０２をさらに備える。
【００５９】
周波数逓倍器２０１，２０２は、シンセサイザ２００から入力されるローカル信号Ｌｅの周波数をＮ倍（Ｎ：自然数）して出力する。本実施形態においては、周波数逓倍器２０１，２０２は、いずれも周波数を２逓倍する回路である。これにより、例えば、ローカル信号Ｌｅの周波数を８．５ＧＨとし、ＩＦ信号ＩＦ１の周波数を５ＧＨｚとすると、送信周波数３９ＧＨｚ（８．５ＧＨｚ×２×２＋５ＧＨｚ）の送信信号を生成することができる。又は、ローカル信号Ｌｅの周波数を１５．２５〜１７．７５ＧＨとし、ＩＦ信号ＩＦ１の周波数を５ＧＨｚとすると、送信周波数６６〜７６ＧＨｚ（１５．２５〜１７．７５ＧＨｚ×２×２＋５ＧＨｚ）の送信信号を生成することができる。なお、周波数逓倍器２０１，２０２は、特に限定されないが、例えばＰＬＬ回路により構成することができる。また、乗算器２１０における信号生成の詳細については、通信ユニット１００の場合と同様であるため、詳細な説明は省略する。
【００６０】
このような構成においても、通信ユニット１００Ｄは、既存モードに対応した送信回路に基づいて、部品点数の増加を抑制しつつ、新たな通信規格に対応することができる。なお、通信ユニット１００Ｄにおいても、図５に示されるスイッチ素子３００を適用することができる。
【００６１】
図９は、信号生成回路１２０の他の構成例（信号生成回路１２０Ｃ）を示す図である。信号生成回路１２０Ｃは、イメージ除去ミキサを備える。具体的には、信号生成回路１２０Ｃは、信号生成回路１２０Ｂの構成に加えて乗算器２０３，２０４、移相器２０５，２０６、及び加算器２０７をさらに備える。
【００６２】
信号生成回路１２０Ｃは、ＩＦ信号ＩＦ１とローカル信号Ｌｅとから送信信号ＴＸ２を生成する。以下に、イメージ除去ミキサの動作について説明する。ＩＦ信号ＩＦ１の角周波数をα、ローカル信号Ｌｅが周波数逓倍器２０１，２０２により逓倍されたローカル信号Ｌｆの角周波数をβ、時間をｔとする。また、生成すべき送信信号の角周波数をα＋βとし、イメージ信号の角周波数をα−βとする。説明を簡単にするため、各信号の振幅を１とすると、ＩＦ信号ＩＦ１はｃｏｓ（αｔ）、ローカル信号Ｌｆはｃｏｓ（βｔ）と表される。
【００６３】
まず、ＩＦ信号ＩＦ１は２つに分配されて、乗算器２０３，２０４にそれぞれ出力される。他方、ローカル信号Ｌｆは２つに分配された後、一方の信号は直接乗算器２０３に出力され、他方の信号は移相器２０５を経由することにより位相が９０度進み、乗算器２０４に出力される。これにより、乗算器２０３においてはｃｏｓ（αｔ）とｃｏｓ（βｔ）が乗算され、ｃｏｓ｛（α＋β）ｔ｝＋ｃｏｓ｛（α−β）ｔ｝に比例した信号が生成される。一方、乗算器２０４においてはｃｏｓ（αｔ）とｓｉｎ（βｔ）が乗算され、ｓｉｎ｛（α＋β）ｔ｝−ｓｉｎ｛（α−β）ｔ｝に比例した信号が生成される。さらに、乗算器２０４で生成された信号は移相器２０６を経由することにより位相が９０度遅れ、ｃｏｓ｛（α＋β）ｔ｝−ｃｏｓ｛（α−β）ｔ｝に比例した信号となる。そして、乗算器２０３から出力される信号及び移相器２０６から出力される信号が加算器２０７において加算されることにより、ｃｏｓ｛（α−β）ｔ｝に比例した信号（すなわち、イメージ信号）のみが除去され、ｃｏｓ｛（α＋β）ｔ｝に比例した信号（すなわち、所望の送信信号ＴＸ２）のみが出力される。
【００６４】
上述の構成により、信号生成回路１２０Ｃは、ＩＦ信号ＩＦ１の周波数とローカル信号Ｌｆの周波数との和の周波数成分を生成し、差の周波数成分を除去することができる。従って、信号生成回路１２０Ｃは信号生成回路１２０Ｂに比べてイメージ信号に起因するノイズの影響を抑制することができる。当該構成は、例えば通信ユニット１００Ｄにおいて６０ＧＨｚ以上の比較的高い周波数の送信信号を生成する場合には、フィルタ回路を用いたイメージ信号の減衰が困難であるため、特に有効である。
【００６５】
図１０は、本発明の一実施形態である通信ユニット１００の他の構成例（通信ユニット１００Ｅ）を示す図である。通信ユニット１００Ｅは、図１に示される通信ユニット１００に比べて、Ｗｉ−Ｆｉ等の無線ＬＡＮ（Ｌｏｃａｌ  Ａｒｅａ  Ｎｅｔｗｏｒｋ）に対応したＲＦＩＣ４０５、電力増幅モジュール４３０、フロントエンド回路４４０、及びアンテナ４５０をさらに備える。
【００６６】
ＲＦＩＣ４０５は、無線ＬＡＮに対応した送信回路４１０（第１送信回路）を備える。本実施形態においては、送信回路４１０が備えるＲＦ回路１７０ＢにおいてＩＦ信号ＩＦ１が生成され、信号生成回路１２０に出力される。ＩＦ信号ＩＦ１の周波数は、例えば５ＧＨｚとすることができる。すなわち、ＩＦ信号ＩＦ１は、３Ｇ及び４Ｇ等の既存モードに対応したＲＦＩＣ１０５において生成されてもよく、又は図１０に示されるように無線ＬＡＮに対応したＲＦＩＣ４０５において生成されてもよい。なお、電力増幅モジュール４３０、フロントエンド回路４４０、及びアンテナ４５０の詳細な構成については、図１に示される電力増幅モジュール１３０、フロントエンド回路１４０、及びアンテナ１５０と同様であるため、詳細な説明は省略する。
【００６７】
このような構成においても、通信ユニット１００Ｅは、無線ＬＡＮに対応した送信回路に基づいて、部品点数の増加を抑制しつつ、新たな通信規格に対応することができる。なお、通信ユニット１００Ｅにおいても、図５に示されるスイッチ素子３００を適用することができる。また、５Ｇの周波数帯域として５ＧＨｚ近辺の周波数帯域の使用も想定されるが、この場合、例えば信号生成回路１２０を簡単なスイッチに置き換えることにより容易に対応することができる。
【００６８】
図１１は、本発明の一実施形態である通信ユニット５００の構成例を示す図である。説明のため、通信ユニット５００は、通信ユニットのうちアップリンクに関わる構成を省略し、ダウンリンクに関わる構成を示している。なお、図１に示される通信ユニット１００と同一の要素には同一の符号を付して説明を省略する。
【００６９】
図１１に示されるように、通信ユニット５００は、図１に示されるＲＦＩＣ１０５、送信回路１１０、信号生成回路１２０、及び電力増幅モジュール１３０，１３１の代わりに、ＲＦＩＣ５０５、受信回路５１０、信号生成回路５２０、及び低雑音増幅モジュール５３０，５３１を備える。
【００７０】
低雑音増幅モジュール５３０，５３１は、各々、アンテナ１５０，１５１によって受信され、フロントエンド回路１４０，１４１を通じて入力される受信信号の電力を復調に必要なレベルまで増幅する。低雑音増幅モジュール５３０は、増幅器（第１低雑音増幅器）を備え、既存モードの周波数帯域の受信信号ＲＸ１（第６信号）を増幅し、増幅信号ＲＸ１＿ａｍｐ（第５増幅信号）を出力する。また、低雑音増幅モジュール５３１は、増幅器（第２低雑音増幅器）を備え、新規モードの複数の周波数帯域の受信信号ＲＸ２（第７信号）を増幅し、増幅信号ＲＸ２＿ａｍｐを出力する。なお、低雑音増幅モジュール５３０，５３１は、複数の周波数帯域の受信信号を増幅する複数の増幅経路を備えていてもよい。低雑音増幅モジュール５３１の構成の詳細については後述する。
【００７１】
信号生成回路５２０（第２の信号生成回路）は、低雑音増幅モジュール５３１から出力される増幅信号ＲＸ２＿ａｍｐが入力され、当該増幅信号ＲＸ２＿ａｍｐとローカル信号とに基づいて生成されたＩＦ信号ＩＦ２を増幅し、増幅信号ＩＦ２＿ａｍｐを出力する。信号生成回路５２０の構成の詳細については後述する。
【００７２】
ＲＦＩＣ５０５は、受信回路５１０を備える。受信回路５１０（第１受信回路）は、ＲＦ回路５７０及びベースバンド回路５６０を備える。
【００７３】
ＲＦ回路５７０は、低雑音増幅モジュール５３０から出力される増幅信号ＲＸ１＿ａｍｐ又は信号生成回路５２０から出力される増幅信号ＩＦ２＿ａｍｐに基づいて、ＩＱ信号を生成して出力する。なお、受信回路５１０は、増幅信号ＲＸ１＿ａｍｐ又は増幅信号ＩＦ２＿ａｍｐが同一端子に入力される構成とすることができる。
【００７４】
ベースバンド回路５６０は、ＱＡＭ等の変調方式に基づいて、ＩＱ信号を復調して音声やデータなどの出力信号（第１出力信号）を出力する。なお、受信回路５１０は、復調方式や周波数帯域に応じて複数の受信回路を含むことができる。
【００７５】
次に、図１２を参照しつつ、通信ユニット５００における新規モードの受信信号ＲＸ２の受信及び増幅の構成について説明する。なお、アップリンクの場合と同様に、新規モードの周波数帯域ＢＡＮＤ＿Ａの例としてＩＥＥＥ周波数分類におけるＫｕバンド、周波数帯域ＢＡＮＤ＿Ｂの例としてＩＥＥＥ周波数分類におけるＫａバンドに対応した回路を示すが、通信ユニット５００における構成はこれに限られない。また、周波数帯域ＢＡＮＤ＿Ａの受信信号をＲＸ２ａ、受信周波数をｆＲＸ２ａ＝１５ＧＨｚとし、周波数帯域ＢＡＮＤ＿Ｂの受信信号をＲＸ２ｂ、受信周波数をｆＲＸ２ｂ＝２８ＧＨｚとする。なお、既存モードの受信信号ＲＸ１の受信及び増幅については詳細な説明を省略する。
【００７６】
図１２は、低雑音増幅モジュール５３１、及び信号生成回路５２０の構成例を示す図である。
【００７７】
低雑音増幅モジュール５３１は、フロントエンド回路１４１ａ，１４１ｂから出力される受信信号ＲＸ２ａ（第７信号），ＲＸ２ｂ（第９信号）を増幅して、増幅信号ＲＸ２ａ＿ａｍｐ（第６増幅信号），ＲＸ２ｂ＿ａｍｐ（第７増幅信号）を出力する。低雑音増幅モジュール５３１は、フィルタ回路６００ａ，６００ｂ，６０１ａ，６０１ｂ、増幅器６１０ａ，６１０ｂ、及びスイッチ回路６２０を備える。本実施形態においては、フィルタ回路６００ａ，６０１ａ、増幅器６１０ａ、及びスイッチ素子６２０ａが、周波数帯域ＢＡＮＤ＿Ａの受信信号ＲＸ２ａに対応した増幅経路を構成し、フィルタ回路６００ｂ，６０１ｂ、増幅器６１０ｂ、及びスイッチ素子６２０ｂが、周波数帯域ＢＡＮＤ＿Ｂの受信信号ＲＸ２ｂに対応した増幅経路を構成する。なお、図１２では、説明を簡単にするために、低雑音増幅モジュール５３１が備える他の構成要素（例えば、バイアス回路、及び整合回路等）は示されていない。
【００７８】
フィルタ回路６００ａ，６００ｂは、各々、受信信号ＲＸ２ａ，ＲＸ２ｂのうち、受信周波数を通過させ、それ以外の周波数の成分を減衰させる。フィルタ回路６００ａ，６００ｂは、例えば、バンドパスフィルタ回路又はローパスフィルタ回路、又は場合によってはハイパスフィルタ回路とすることができる。
【００７９】
増幅器６１０ａ（第２低雑音増幅器），６１０ｂ（第３低雑音増幅器）は、各々、フィルタ回路６００ａ，６００ｂから出力される受信信号ＲＸ２ａ，ＲＸ２ｂを増幅して、増幅信号ＲＸ２ａ＿ａｍｐ（第６増幅信号），ＲＸ２ｂ＿ａｍｐ（第７増幅信号）を出力する。増幅器６１０ａ，６１０ｂは、例えば、ＭＯＳＦＥＴ、ＨＥＭＴや、ＨＢＴ等のバイポーラトランジスタにより構成することができる。なお、増幅器６１０ａ，６１０ｂは、各々、複数段で構成されてもよい。
【００８０】
フィルタ回路６０１ａ，６０１ｂは、各々、増幅信号ＲＸ２ａ＿ａｍｐ，ＲＸ２ｂ＿ａｍｐの高調波や、増幅器６１０ａ，６１０ｂによって生じるノイズを減衰させる。フィルタ回路６０１ａ，６０１ｂは、例えば、バンドパスフィルタ回路又はローパスフィルタ回路、又は場合によってはハイパスフィルタ回路とすることができる。
【００８１】
スイッチ回路６２０（第４スイッチ回路）は、２つの周波数帯域における増幅信号ＲＸ２ａ＿ａｍｐ，ＲＸ２ｂ＿ａｍｐについて、一方の増幅信号のみを信号生成回路５２０に供給し、同時に２つの増幅信号が信号生成回路５２０に供給されないように制御する。スイッチ回路６２０は、例えば、スイッチ素子６２０ａ，６２０ｂを備える。スイッチ素子６２０ａ，６２０ｂは、各々の増幅経路において、低雑音増幅モジュール５３１と信号生成回路５２０との間の接続又は開放を切り替える。また、一方のスイッチ素子がオンであるときは、他方のスイッチ素子がオフとなるように動作する。これにより、増幅信号ＲＸ２ａ＿ａｍｐ，ＲＸ２ｂ＿ａｍｐについて、一方の増幅信号が信号生成回路５２０に供給されるときは、他方の増幅信号が信号生成回路５２０に供給されないようにすることができる。従って、一方の増幅経路から漏出した増幅信号が他方の増幅経路へ回り込むことが抑制される。すなわち、受信信号ＲＸ２ａ，ＲＸ２ｂの各々の増幅経路間のアイソレーションを確保することができる。
【００８２】
信号生成回路５２０は、シンセサイザ６３０、乗算器６４０、フィルタ回路６５０、及び増幅器６６０を備える。
【００８３】
シンセサイザ６３０は、図２に示されるシンセサイザ２００と同様に、周波数帯域ＢＡＮＤ＿Ａ，ＢＡＮＤ＿Ｂの受信信号からＩＦ信号ＩＦ２を生成するためのローカル信号Ｌａ（第３基準信号）（周波数ｆＬａ＝１０ＧＨｚ）、Ｌｂ（第４基準信号）（周波数ｆＬｂ＝２３ＧＨｚ）を生成して出力する。
【００８４】
乗算器６４０は、シンセサイザ６３０から供給されるローカル信号Ｌａと、低雑音増幅モジュール５３１から供給される増幅信号ＲＸ２ａ＿ａｍｐとを合成して、ＩＦ信号ＩＦ２（第８信号）を生成して出力する。また、同様に、乗算器６４０は、シンセサイザ６３０から供給されるローカル信号Ｌｂと、低雑音増幅モジュール５３１から供給される増幅信号ＲＸ２ｂ＿ａｍｐとを合成して、ＩＦ信号ＩＦ２（第８信号）を生成して出力する。
【００８５】
ＩＦ信号ＩＦ２は、例えば、受信信号ＲＸ２（第７信号）の周波数（例えば、１５ＧＨｚ）より低く、既存モードに対応した受信回路５１０において処理可能な周波数（例えば、５ＧＨｚ）の信号とすることができる。これにより、通信ユニット５００は、新規モードに対応した受信回路を別途設けることなく、既存モードに対応した受信回路５１０に基づいて新規モードの受信信号ＲＸ２を処理することができる。
【００８６】
なお、乗算器６４０に増幅信号ＲＸ２ａ＿ａｍｐ，ＲＸ２ｂ＿ａｍｐが供給されない場合には、シンセサイザ６３０及び乗算器６４０がオフとなり、ローカル信号及びＩＦ信号が生成されない構成であってもよい。次に、乗算器６４０が生成する信号の周波数について、図１３を参照しつつ説明する。
【００８７】
図１３は、増幅信号ＲＸ２ａ＿ａｍｐ，ＲＸ２ｂ＿ａｍｐ及びローカル信号Ｌａ，ＬｂからＩＦ信号ＩＦ２が生成される状況の一例を示す図である。乗算器６４０は、図２に示される乗算器２１０と同様に、入力される２つの信号の各々の周波数の和及び差の周波数の信号を出力する。従って、乗算器６４０に増幅信号ＲＸ２ａ＿ａｍｐと、ローカル信号Ｌａ（周波数ｆＬａ＝１０ＧＨｚ）が入力されると、周波数がｆＲＸ２ａ＋ｆＬａ＝１５＋１０＝２５ＧＨｚである信号ＭＩＸ２ａUPと、周波数がｆＲＸ２ａ−ｆＬａ＝１５−１０＝５ＧＨｚである信号ＭＩＸ２ａDOWNを含んだ信号が出力される。本実施形態においては、ＩＦ信号ＩＦ２として５ＧＨｚの信号ＭＩＸ２ａDOWNを使用するため、２５ＧＨｚの信号ＭＩＸ２ａUPはイメージ信号である。
【００８８】
同様に、乗算器６４０に増幅信号ＲＸ２ｂ＿ａｍｐと、ローカル信号Ｌｂ（周波数ｆＬｂ＝２３ＧＨｚ）が入力されると、周波数がｆＲＸ２ｂ＋ｆＬｂ＝２８＋２３＝５１ＧＨｚである信号ＭＩＸ２ｂUPと、周波数がｆＲＸ２ｂ−ｆＬｂ＝２８−２３＝５ＧＨｚである信号ＭＩＸ２ｂDOWNを含んだ信号が出力される。本実施形態においては、ＩＦ信号ＩＦ２として５ＧＨｚの信号ＭＩＸ２ｂDOWNを使用するため、５１ＧＨｚの信号ＭＩＸ２ｂUPはイメージ信号である。
【００８９】
図１２に戻り、フィルタ回路６５０（第３フィルタ回路）は、上述のイメージ信号ＭＩＸ２ａUP，ＭＩＸ２ｂUPを減衰させる。具体的には、フィルタ回路６５０は、乗算器６４０が生成する信号のうち、信号ＭＩＸ２ａDOWN，ＭＩＸ２ｂDOWNの周波数成分を通過させ、ＭＩＸ２ａUP，ＭＩＸ２ｂUPの周波数成分を減衰させる。フィルタ回路６５０は、例えば、信号ＭＩＸ２ａDOWN，ＭＩＸ２ｂDOWN（５ＧＨｚ）の周波数成分を通過させ、当該周波数より高い周波数である信号ＭＩＸ２ａUP（２５ＧＨｚ），ＭＩＸ２ｂUP（５１ＧＨｚ）の周波数成分を減衰させるバンドパスフィルタ回路又はローパスフィルタ回路とすることができる（図１３参照）。
【００９０】
増幅器６６０（第４低雑音増幅器）は、フィルタ回路６５０の後段に備えられ、フィルタ回路６５０から出力されるＩＦ信号ＩＦ２を増幅して、増幅信号ＩＦ２＿ａｍｐ（第８増幅信号）を出力する。増幅器６６０は、フィルタ回路６５０の挿入により減衰されたＩＦ信号ＩＦ２の電力を増幅する。
【００９１】
信号生成回路５２０から出力される増幅信号ＩＦ２＿ａｍｐは、受信回路５１０により復調される。
【００９２】
上述の構成により、通信ユニット５００は、通信ユニット１００と同様に、直接新規モードの周波数帯域の受信信号を復調する必要がなく、信号生成回路５２０において生成される増幅信号ＩＦ２＿ａｍｐを復調する。従って、通信ユニット５００は、既存モードに対応した受信回路に基づいて、部品点数の増加を抑制しつつ、新たな通信規格に対応することができる。
【００９３】
図１４は、本発明の一実施形態である通信ユニット５００の他の構成例（通信ユニット５００Ａ）を示す図である。通信ユニット５００Ａは、図１１に示される通信ユニット５００に比べて、スイッチ素子７００をさらに備える。
【００９４】
スイッチ素子７００（第３スイッチ回路）は、受信回路５１０と信号生成回路５２０の間に設けられ、受信回路５１０と信号生成回路５２０との間を接続又は開放する。具体的には、スイッチ素子７００は、通信ユニット５００Ａが新規モードの周波数帯域の受信信号を受信する場合にオンとなり、当該受信信号を受信しない場合にオフとなる。これにより、既存モードの受信信号及び新規モードの受信信号の処理において、一方のモードの受信信号が他方のモードの受信信号の経路へ回り込むことが抑制される。なお、スイッチ素子７００は、図１４に示されるようにＲＦＩＣ５０５Ａの内部に構成されていてもよく、またＲＦＩＣ５０５Ａの外部に構成されていてもよい。
【００９５】
図１５は、本発明の一実施形態である通信ユニット５００の他の構成例（通信ユニット５００Ｂ）を示す図である。通信ユニット５００Ｂは、図１１に示される通信ユニット５００に比べて、既存モードの周波数帯域の受信信号ＲＸ３に対応した受信回路８１０、低雑音増幅モジュール８３０、フロントエンド回路３４０、及びアンテナ３５０をさらに備える。
【００９６】
低雑音増幅モジュール８３０は、増幅器（第５低雑音増幅器）を備え、アンテナ３５０から受信された既存モードの周波数帯域の受信信号ＲＸ３（第１０信号）を増幅し、増幅信号ＲＸ３＿ａｍｐ（第９増幅信号）を出力する。
【００９７】
受信回路８１０（第２受信回路）は、増幅信号ＲＸ３＿ａｍｐを復調し、音声やデータなどの出力信号（第２出力信号）を出力する。
【００９８】
なお、受信回路８１０、低雑音増幅モジュール８３０、フロントエンド回路３４０、及びアンテナ３５０の詳細な構成については、図１１に示される受信回路５１０、低雑音増幅モジュール５３０、フロントエンド回路１４０、及びアンテナ１５０と同様であるため、詳細な説明は省略する。
【００９９】
このような構成においても、通信ユニット５００Ｂは、既存モードに対応した受信回路に基づいて、部品点数の増加を抑制しつつ、新たな通信規格に対応することができる。通信ユニット５００Ｂは、複数の周波数帯域の受信信号を同時に受信することができるため、例えば、キャリアアグリゲーションに対応した携帯端末において適用することができる。なお、通信ユニット５００Ｂにおいても、図１４に示されるスイッチ素子７００を適用することができる。また、図１５に示されるように１つのＲＦＩＣ５０５Ｂが受信回路５１０，８１０を備えていてもよく、又は通信ユニット５００Ｂが複数のＲＦＩＣを備え、各ＲＦＩＣが受信回路５１０，８１０をそれぞれ備えていてもよい。
【０１００】
図１６は、本発明の一実施形態である通信ユニットの構成例（通信ユニット８００）を示す図である。図１６に示されるように、通信ユニット８００は、フロントエンド回路１４１において送信信号及び受信信号の経路切り替えを行う構成であってもよい。フロントエンド回路１４１は、例えばスイッチ回路を備え、電力増幅モジュール１３１から出力される送信信号をアンテナ１５１に供給するか、又はアンテナ１５１から出力される受信信号を低雑音増幅モジュール５３１に供給する。また、送信回路を備えるＲＦＩＣ１０５、及び受信回路を備えるＲＦＩＣ５０５から出力される各々の信号の経路も、スイッチにより切り替えを行う構成であってもよい。なお、図１６では、説明を簡単にするために新規モードに対応した経路のみ示されているが、通信ユニット８００における構成はこれに限られない。また、ここではアンテナが１つの場合を説明しているが、電力増幅モジュール１３１及び低雑音増幅モジュール５３１が別のアンテナと接続されてもかまわない。
【０１０１】
図１７は、本発明の一実施形態である通信ユニットが実装された通信装置基板における回路配置の一例の概略を示す図である。図１７に示される通信装置基板１０００は、通信ユニットが実装され、基地局との間でＲＦ信号を送受信する。
【０１０２】
図１７に示されるように、通信装置基板１０００は、アンテナ１５０，１５１ａ、フロントエンド回路１４０，１４１ａ、電力増幅モジュール１３０，１３１、及び低雑音増幅モジュール５３０，５３１を備える。なお、図１７では、説明を簡単にするために、通信装置基板１０００が備える他の構成要素は示されていない。
【０１０３】
通信装置基板１０００において、既存モードの信号の送受信を行うアンテナ１５０（第１アンテナ）の入出力端子から、電力増幅モジュール１３０が備える増幅器（第１増幅器）の出力端子まで、又は低雑音増幅モジュール５３０が備える増幅器（第１低雑音増幅器）の入力端子までの伝送線路の距離をｄ１とする。また、通信装置基板１０００において、新規モードの信号の送受信を行うアンテナ１５１ａ（第２アンテナ）の入出力端子から、電力増幅モジュール１３１が備える増幅器（第２増幅器）の出力端子まで、又は低雑音増幅モジュール５３１が備える増幅器（第２低雑音増幅器）の入力端子までの伝送線路の距離をｄ２とする。
【０１０４】
新規モードの周波数帯域におけるＲＦ信号は、既存モードの周波数帯域におけるＲＦ信号に比べて高周波であり、伝送損失が大きい。従って、通信装置基板１０００においては、新規モードの信号の増幅を行う増幅器とアンテナ１５１ａとの間の伝送線路の距離ｄ２が、既存モードの信号の増幅を行う増幅器とアンテナ１５０との間の伝送線路の距離ｄ１に比べて短くなるように、アンテナ１５１ａ、電力増幅モジュール１３１、及び低雑音増幅モジュール５３１が配置される。これにより、電力増幅モジュール１３１からフロントエンド回路１４１ａを通ってアンテナ１５１ａに至るまでの伝送線路、又は、アンテナ１５１ａからフロントエンド回路１４１ａを通って低雑音増幅モジュール５３１に至るまでの伝送線路におけるＲＦ信号の損失を抑制することができる。
【０１０５】
以上、本発明の例示的な実施形態について説明した。通信ユニット１００，１００Ａ〜１００Ｄは、送信回路１１０においてＩＦ信号ＩＦ１を生成し、信号生成回路１２０において当該ＩＦ信号ＩＦ１及びローカル信号Ｌａ〜Ｌｅに基づいて高周波の送信信号ＴＸ２ａ，ＴＸ２ｂを生成する。これにより、送信回路において、新規モードの高周波の送信信号を直接生成する必要がなくなる。従って、通信ユニット１００，１００Ａ〜１００Ｄは、既存モードに対応した通信ユニットに基づいて、部品点数の増加を抑制しつつ、新規の通信規格に対応することができる。
【０１０６】
また、通信ユニット１００，１００Ａ〜１００Ｅは、送信回路１１０，４１０において、同一端子から送信信号ＴＸ１又はＩＦ信号ＩＦ１を出力する構成とすることができる。なお、信号の出力端子の構成はこれに限られない。
【０１０７】
また、通信ユニット１００Ａは、送信回路１１０と信号生成回路１２０の間にスイッチ素子３００を備える。これにより、既存モード及び新規モードの送信信号の処理において、一方のモードの送信信号が他方のモードの送信信号の経路へ回り込むことが抑制される。
【０１０８】
また、通信ユニット１００，１００Ａ〜１００Ｅが対応する既存モードをＩＥＥＥ周波数分類におけるＣバンド（４〜８ＧＨｚ帯）以下の周波数の周波数帯域を使用するモードとし、新規モードをＩＥＥＥ周波数分類におけるＸバンド（８〜１２ＧＨｚ帯）以上の周波数の周波数帯域を使用するモードとすることができる。
【０１０９】
また、通信ユニット１００，１００Ａ〜１００Ｅは、電力増幅モジュール１３１において増幅器２４０ａ，２４０ｂを備え、複数の新規モードの送信信号に対し、複数の増幅経路を構成する。これにより、通信ユニット１００，１００Ａ〜１００Ｅは、新規モードの複数の周波数帯域の送信信号に対応することができる。
【０１１０】
また、通信ユニット１００，１００Ａ〜１００Ｅは、電力増幅モジュール１３１において一方の増幅経路が動作する場合は他方の増幅経路を停止させるスイッチ回路２２０を備える。これにより、一方の増幅経路から漏出した送信信号が他方の増幅経路へ回り込むことが抑制される。従って、各々の増幅経路間のアイソレーションを確保することができる。
【０１１１】
また、通信ユニット１００Ｂは、通信ユニット１００の構成に加えて、既存モードに対応した送信回路３１０、電力増幅モジュール３３０、フロントエンド回路３４０、及びアンテナ３５０をさらに備える。これにより、通信ユニット１００Ｂは、異なる周波数帯域の送信信号を同時に送信することができる。従って、通信ユニット１００Ｂは、キャリアアグリゲーションに適用することができる。
【０１１２】
また、信号生成回路１２０Ｃは、ＩＦ信号ＩＦ１の周波数とローカル信号Ｌｆの周波数との和の周波数成分を生成し、差の周波数成分を除去するイメージ除去ミキサをさらに備える。これにより、信号生成回路１２０Ｃは信号生成回路１２０Ｂに比べてイメージ信号に起因するノイズの影響を抑制することができる。
【０１１３】
また、通信ユニット１００Ｅは、無線ＬＡＮに対応したＲＦ回路１７０ＢにおいてＩＦ信号ＩＦ１が生成される。このような構成によっても、通信ユニット１００Ｅは、無線ＬＡＮに対応した通信ユニットに基づいて、部品点数の増加を抑制しつつ、新規の通信規格に対応することができる。
【０１１４】
また、通信ユニット５００，５００Ａ，５００Ｂは、信号生成回路５２０において、増幅信号ＲＸ２ａ＿ａｍｐ，ＲＸ２ｂ＿ａｍｐ及びローカル信号Ｌａ，Ｌｂに基づいて、ＩＦ信号ＩＦ２を生成する。これにより、受信回路５１０において、新規モードの高周波の受信信号を直接復調する必要がなくなる。従って、通信ユニット５００，５００Ａ，５００Ｂは、既存モードに対応した通信ユニットに基づいて、部品点数の増加を抑制しつつ、新規の通信規格に対応することができる。
【０１１５】
また、通信ユニット５００，５００Ａ，５００Ｂは、受信回路５１０において、増幅信号ＲＸ１＿ａｍｐ又は増幅信号ＩＦ２＿ａｍｐが同一端子に入力される構成とすることができる。なお、信号の入力端子の構成はこれに限られない。
【０１１６】
また、通信ユニット５００Ａは、受信回路５１０と信号生成回路５２０の間にスイッチ素子７００を備える。これにより、既存モード及び新規モードの受信信号の処理において、一方のモードの受信信号が他方のモードの受信信号の経路へ回り込むことが抑制される。
【０１１７】
また、通信ユニット５００，５００Ａ，５００Ｂが対応する既存モードをＩＥＥＥ周波数分類におけるＣバンド（４〜８ＧＨｚ帯）以下の周波数の周波数帯域を使用するモードとし、新規モードをＩＥＥＥ周波数分類におけるＸバンド（８〜１２ＧＨｚ帯）以上の周波数の周波数帯域を使用するモードとすることができる。
【０１１８】
また、通信ユニット５００，５００Ａ，５００Ｂは、低雑音増幅モジュール５３１において増幅器６１０ａ，６１０ｂを備え、複数の新規モードの受信信号に対し、複数の増幅経路を構成する。これにより、通信ユニット５００，５００Ａ，５００Ｂは、新規モードの複数の周波数帯域の受信信号に対応することができる。
【０１１９】
また、通信ユニット５００，５００Ａ，５００Ｂは、低雑音増幅モジュール５３１において一方の増幅経路が動作する場合は他方の増幅経路を停止させるスイッチ回路６２０を備える。これにより、一方の増幅経路から漏出した受信信号が他方の増幅経路へ回り込むことが抑制される。従って、各々の増幅経路間のアイソレーションを確保することができる。
【０１２０】
また、通信ユニット５００，５００Ａ，５００Ｂは、信号生成回路５２０において、フィルタ回路６５０の後段に増幅器６６０を備える。これにより、フィルタ回路６５０の挿入により減衰されたＩＦ信号ＩＦ２の電力を増幅することができる。
【０１２１】
また、通信ユニット５００Ｂは、通信ユニット５００の構成に加えて、既存モードに対応した受信回路８１０、低雑音増幅モジュール８３０、フロントエンド回路３４０、及びアンテナ３５０をさらに備える。これにより、通信ユニット５００Ｂは、異なる周波数帯域の受信信号を同時に受信することができる。従って、通信ユニット５００Ｂは、キャリアアグリゲーションに適用することができる。
【０１２２】
また、通信装置基板１０００は、新規モードの信号の増幅を行う増幅器とアンテナ１５１ａとの間の伝送線路の距離が、既存モードの信号の増幅を行う増幅器とアンテナ１５０との間の距離に比べて短くなるように、アンテナ１５１ａ、電力増幅モジュール１３１及び低雑音増幅モジュール５３１が配置される。これにより、高周波のＲＦ信号の送受信時に、伝送線路におけるＲＦ信号の伝送損失を抑制することができる。
【０１２３】
以上説明した各実施形態は、本発明の理解を容易にするためのものであり、本発明を限定して解釈するためのものではない。本発明は、その趣旨を逸脱することなく、変更又は改良され得るととともに、本発明にはその等価物も含まれる。即ち、各実施形態に当業者が適宜設計変更を加えたものも、本発明の特徴を備えている限り、本発明の範囲に包含される。例えば、各実施形態が備える各要素およびその配置、材料、条件、形状、サイズなどは、例示したものに限定されるわけではなく適宜変更することができる。また、各実施形態が備える各要素は、技術的に可能な限りにおいて組み合わせることができ、これらを組み合わせたものも本発明の特徴を含む限り本発明の範囲に包含される。
【符号の説明】
【０１２４】
１００，５００，８００  通信ユニット
１０５，４０５，５０５  ＲＦＩＣ
１１０，３１０，４１０  送信回路
１２０，５２０  信号生成回路
１３０，１３１，３３０，４３０  電力増幅モジュール
１４０，１４１，１４１ａ，１４１ｂ，３４０，４４０  フロントエンド回路
１５０，１５１，１５１ａ，１５１ｂ，３５０，４５０  アンテナ
１６０，５６０  ベースバンド回路
１７０，５７０  ＲＦ回路
２００，６３０  シンセサイザ
２０１，２０２  周波数逓倍器
２０３，２０４，２１０，６４０  乗算器
２０５，２０６  移相器
２０７  加算器
２２０，６２０  スイッチ回路
２２０ａ，２２０ｂ，３００，６２０ａ，６２０ｂ，７００  スイッチ素子
２３０ａ，２３０ｂ，２３１ａ，２３１ｂ，６００ａ，６００ｂ，６０１ａ，６０１ｂ，６５０  フィルタ回路
２４０ａ，２４０ｂ，６１０ａ，６１０ｂ，６６０  増幅器
５１０，８１０  受信回路
５３０，５３１，８３０  低雑音増幅モジュール
１０００  通信装置基板
【図１】
2018033121.tif 000003
【図２】
2018033121.tif 000004
【図３】
2018033121.tif 000005
【図４】
2018033121.tif 000006
【図５】
2018033121.tif 000007
【図６】
2018033121.tif 000008
【図７】
2018033121.tif 000009
【図８】
2018033121.tif 000010
【図９】
2018033121.tif 000011
【図１０】
2018033121.tif 000012
【図１１】
2018033121.tif 000013
【図１２】
2018033121.tif 000014
【図１３】
2018033121.tif 000015
【図１４】
2018033121.tif 000016
【図１５】
2018033121.tif 000017
【図１６】
2018033121.tif 000018
【図１７】
2018033121.tif 000019